(57)【要約】【課題】  装置のコストアップを招くことなく災害時等の断水時等にタンク内の湯水を容易に利用できる貯水タンク付き装置を提供する。【解決手段】  湯水を貯水するタンクである貯湯槽２の下方側に、管路１５を介してタンク内湯水の排水開閉操作用の排水栓５２を設け、排水栓５２の下部側には排水栓５２から排水される水を受けて外部の廃棄場所に導出するホッパー１０を設ける。排水栓５２には、その排水口７の向きをホッパー１０へ排出する下向きとホッパー１０から外れて排水を取り出し利用する方向とに向けることを可能とする排水口向き可変手段５を設け、例えば災害時等の断水時には排水口７の向きをホッパー１０から外れる向きに向けて貯湯槽２内の湯水を取り出し利用する。【選択図】        図１
2005308329.tif 000002
【特許請求の範囲】
【請求項１】
湯水を貯水するタンクを備え、該タンクには直接または管路を介してタンク内湯水の排水開閉操作用の排水栓が設けられ、該排水栓の下部側には排水栓から排水される水を受けて外部の廃棄場所に導出するホッパーが設けられ、前記排水栓にはその排水口の向きを前記ホッパーへ排出する下向きと前記ホッパーから外れて排水を取り出し利用する方向とに向けることを可能とする排水口向き可変手段が設けられていることを特徴とする貯水タンク付き装置。
【請求項２】
排水口向き可変手段は曲がり部を有する曲がり管により形成されており、該曲がり管は先端側の排水口をホッパーへ排出する下向きと前記ホッパーから外れる方向とに回動自在に排水栓に取り付けられていることを特徴とする請求項１記載の貯水タンク付き装置。
【請求項３】
排水口向き可変手段は排水栓に取り付けられたフレキシブル管により形成されて、該フレキシブル管は排水口側をホッパーへ排出する下向きと前記ホッパーから外れる方向とに折り曲げ可能と成していることを特徴とする請求項１記載の貯水タンク付き装置。
【請求項４】
タンクは発電装置の排熱を利用して形成した湯を蓄積する貯湯槽であり、該貯湯槽に蓄積した湯を給湯先に給湯するコジェネレーション給湯熱源装置を備えていることを特徴とする請求項１または請求項２または請求項３記載の貯水タンク付き装置。
【発明の詳細な説明】
【技術分野】
【０００１】
本発明は、コジェネレーション給湯熱源装置や電気温水器等のタンクを有して、そのタンク内の湯水を災害時等の断水時に利用できる貯水タンク付き装置に関するものである。
【背景技術】
【０００２】
近年、省エネルギー効果を奏することが可能なシステムとして、例えば固体高分子型燃料電池等の発電装置の排熱を利用して、貯湯槽に蓄積した湯を給湯先に給湯するコジェネレーション給湯熱源装置が提案されている。貯湯槽は湯水を貯水するタンクとして機能し、通常、水または湯により満たされている。
【０００３】
ところで、上記のようなコジェネレーション給湯熱源装置や電気温水器等のタンク（貯水タンク）を持つ貯水タンク付き装置において、災害時の断水時に、タンク内に残っている湯水を利用する要求がある。そこで、例えばタンクの排水側に設けられている排水管を災害時等の断水時に外して、タンク内の湯水を利用することや、災害用に専用の取水口をタンクに設け、これを操作して取り出したりすることが提案されている（例えば、特許文献１参照。）。
【０００４】
【特許文献１】特開平９―１１９７１０
【発明の開示】
【発明が解決しようとする課題】
【０００５】
しかしながら、特に配慮がない既設の排水管を取り外すには専門の知識や工具が必要であり、災害時の緊急用という需要を満足できるものでは無かった。また、災害用の専用の取水口を設ける場合、使用頻度が少ないにもかかわらず、専用の取水口の配設コストがかかり、装置のコストアップを招くといった問題があった。
【０００６】
本発明は、上記従来の課題を解決するために成されたものであり、その目的は、装置のコストアップを招くことなく災害時の断水時等にタンク内の湯水を容易に利用できる貯水タンク付き装置を提供することにある。
【課題を解決するための手段】
【０００７】
上記目的を達成するために、本発明は次のような構成をもって課題を解決する手段としている。すなわち、第１の発明は、湯水を貯水するタンクを備え、該タンクには直接または管路を介してタンク内湯水の排水開閉操作用の排水栓が設けられ、該排水栓の下部側には排水栓から排水される水を受けて外部の廃棄場所に導出するホッパーが設けられ、前記排水栓にはその排水口の向きを前記ホッパーへ排出する下向きと前記ホッパーから外れて排水を取り出し利用する方向とに向けることを可能とする排水口向き可変手段が設けられている構成をもって課題を解決する手段としている。
【０００８】
また、第２の発明は、上記第１の発明の構成に加え、前記排水口向き可変手段は曲がり部を有する曲がり管により形成されており、該曲がり管は先端側の排水口をホッパーへ排出する下向きと前記ホッパーから外れる方向とに回動自在に排水栓に取り付けられている構成をもって課題を解決する手段としている。
【０００９】
さらに、第３の発明は、上記第１の発明の構成に加え、前記排水口向き可変手段は排水栓に取り付けられたフレキシブル管により形成されて、該フレキシブル管は排水口側をホッパーへ排出する下向きと前記ホッパーから外れる方向とに折り曲げ可能と成している構成をもって課題を解決する手段としている。
【００１０】
さらに、第４の発明は、上記第１または第２または第３の発明の構成に加え、前記タンクは発電装置の排熱を利用して形成した湯を蓄積する貯湯槽であり、該貯湯槽に蓄積した湯を給湯先に給湯するコジェネレーション給湯熱源装置を備えている構成をもって課題を解決する手段としている。
【発明の効果】
【００１１】
本発明によれば、湯水を貯水するタンクには直接または管路を介してタンク内湯水の排水開閉操作用の排水栓が設けられ、該排水栓にはその排水口の向きを、該排水栓の下部側に設けられたホッパーへ排出する下向きと、前記ホッパーから外れて排水を取り出し利用する方向とに向けることを可能とする排水口向き可変手段が設けられているので、排水口向き可変手段により排水口の向きを適宜変えることにより、タンク内の湯水を、ホッパーを介して外部の廃棄場所に導出したり、取り出し利用したりすることができる。
【００１２】
つまり、本発明によれば、災害用の専用の取水口を設ける場合と異なり、装置のコストアップを招くことはなく、また、通常設けられている配水配管を取り外す場合と異なり、専門の知識や工具も必要無く、通常は、排水栓の排水口をホッパーへ排出する下向きとしてタンク内の湯水を廃棄場所に導出でき、かつ、災害時等には、排水口の向きを変えるだけでタンク内の湯水を取り出し利用できる。したがって、本発明は、機器のコストアップを招くことなく災害時の断水時等にタンク内の湯水を容易に利用できる貯水タンク付き装置を実現できる。
【００１３】
また、本発明において、曲がり部を有する曲がり管により排水口向き可変手段を形成し、該曲がり管をその先端側の排水口をホッパーへ排出する下向きと前記ホッパーから外れる方向とに回動自在に排水栓に取り付けたり、排水口向き可変手段を排水栓に取り付けられたフレキシブル管により形成し、該フレキシブル管は排水口側をホッパーへ排出する下向きと前記ホッパーから外れる方向とに折り曲げ可能と成したりすることにより、上記のような優れた効果を奏する貯水タンク付き装置を容易に、かつ、安価で形成できる。
【００１４】
さらに、本発明において、貯水タンクは発電装置の排熱を利用して形成した湯を蓄積する貯湯槽であり、該貯湯槽に蓄積した湯を給湯先に給湯するコジェネレーション給湯熱源装置を備えている構成によれば、上記のように優れた効果を奏するコジェネレーション給湯熱源装置付きの装置を実現できる。
【発明を実施するための最良の形態】
【００１５】
以下、本発明の実施の形態を、図面を参照して説明する。
【００１６】
図１には、本発明に係る貯水タンク付き装置の一実施形態例におけるタンク内湯水の排水部側の構成が示されており、図４（ａ）には、本実施形態例のシステム構成が模式的に示されている。
【００１７】
図４（ａ）に示すように、本実施形態例は、タンク（貯水タンク）としての貯湯槽２を有するコジェネレーション給湯熱源装置３を備えており、貯湯槽２には、貯湯槽２内に給水を導入する給水路１１と貯湯槽２の湯を送水する給湯路１２が設けられている。
【００１８】
コジェネレーション給湯熱源装置３は、発電装置１の排熱を利用して形成した湯を貯湯槽２に蓄積する装置であり、貯湯槽２と発電装置１との間に配備されている冷却水導入通路１３を介し、貯湯槽２内の水を発電装置１の冷却水として発電装置１側に導入し、この水を発電装置１の発電時に生じる排熱によって加熱して例えば６０℃といった設定温度の湯とし、排熱湯導入通路１４を介して貯湯槽２に蓄積する。
【００１９】
発電装置１は、例えば固体高分子型燃料電池（ＰＥＦＣ）等の燃料電池により形成することができる。燃料電池は、水の電気分解の逆反応で、都市ガス等の燃料から取り出された水素２Ｈ＋と空気中の酸素（１／２）Ｏ２とを反応させて発電する装置であり、環境に悪影響を与える物質を排出することなく、コジェネレーション給湯熱源装置３を運転できる。
【００２０】
なお、発電装置１は、ガスタービン発電装置、ディーゼルエンジン発電装置等、発電システムの排熱を用いて貯湯槽２内への蓄熱を行う適宜の装置により形成することもできる。
【００２１】
貯湯槽２の下方側には、管路１５を介してタンク内湯水の排水開閉操作用の排水栓５２が設けられている。また、本実施形態例では、図１に示すように、該排水栓５２の下部側には、排水栓５２から排水される水を受けて外部の廃棄場所に導出するホッパー１０が設けられている。ホッパー１０は、接続口１１を介して図示されていない排水管路に接続されており、この排水管路を介して排水を排水マスに排出するようになっている。
【００２２】
前記排水栓５２には、その排水口７の向きを、前記ホッパー１０へ排出する下向きと前記ホッパー１０から外れて排水を取り出し利用する方向とに向けること可能とする、排水口向き可変手段５が設けられている。この排水口向き可変手段５は曲がり部を有する曲がり管６により形成されており、曲がり管６は図１の矢印Ａに示すように、先端側の排水口（ホースエンド）７をホッパー１０へ排出する下向きと、ホッパー１０から外れる方向とに回動自在に排水栓５２に取り付けられている。
【００２３】
本実施形態例は以上のように構成されており、図１および図２（ａ）に示すように、通常は、排水栓５２の排水口７をホッパー１０へ排出する下向きとして、貯湯槽２内の湯水を排出し、災害時等の断水時等には、図１の破線および図２（ｂ）に示すように、排水口向き可変手段５により排水口７の向きを変えて、ホッパー１０から外れて排水を取り出し利用する方向に向ける。
【００２４】
なお、この際、排水をより利用しやすいように、図２（ｂ）に示すように、排水口７にホース１８等を取り付けてもよい。そして、災害時等の断水時等には、排水口７から送出される貯湯槽２内の湯水を利用することができる。
【００２５】
上記のように、本実施形態例では、排水栓５２に排水口向き可変手段５を設け、排水口７の向きをホッパー１０へ排出する下向きとホッパー１０から外れて排水を取り出し利用する方向とに向けることを可能としているので、専門の知識や工具が無くても、排水口７の向きを適宜変えることにより、貯湯槽２内の湯水を廃棄場所に導出したり、貯湯槽２内の湯水を取り出して災害用等に容易に利用したりできる装置を実現できる。
【００２６】
また、本実施形態例において、排水口向き可変手段５は、曲がり管６を排水栓５２に回動自在に取り付けただけの簡単な構成であり、この排水口向き可変手段５を設けた排水栓５２の下部側にホッパー１０を設けることにより、貯湯槽２内の湯水の排水と取水利用の構成を、少ない部品点数で、非常に容易に構成できるので、安価に装置を実現できる。
【００２７】
また、従来は、給水側が負圧になった際に排水が貯湯槽２側に逆流することを抑制するために、排水配管の途中に逆流防止の縁切り構成を設けていたが、本実施形態例は、貯湯槽２から排水の廃棄場所に至る途中にホッパー１０を設けて縁切りをしており、装置自体が縁切り構成を有しているので、たとえ施工者が装置を取り付ける際に、縁切り構成を排水配管の途中になくても、上記逆流防止を行うことができ、装置の施工コストも安くすることができる。
【００２８】
なお、本発明は上記実施形態例に限定されることはなく、様々な態様を採り得る。例えば、上記実施形態例では、排水口向き可変手段５は曲がり管６を有する構成としたが、図３に示すように、排水口向き可変手段５は排水栓５２に取り付けられたフレキシブル管８により形成してもよい。この場合、フレキシブル管８は、図３（ａ）に示すような、排水口７側をホッパー１０へ排出する下向きと、図３（ｂ）に示すような、ホッパー１０から外れる方向とに折り曲げ可能に形成される。
【００２９】
また、上記実施形態例では、タンクとしての貯湯槽２に、管路１５を介して排水栓５２を設けたが、貯湯槽２等のタンクに直接、排水栓５２を設けてもよい。
【００３０】
さらに、上記実施形態例では、コジェネレーション給湯熱源装置３は、１つの貯湯槽２を有する構成としたが、複数の貯湯槽２を直列に接続してコジェネレーション給湯熱源装置３を形成してもよい。
【００３１】
さらに、上記実施形態例では、コジェネレーション給湯熱源装置３の貯湯槽２と発電装置１との間には、発電装置１の排熱を利用して貯湯槽２内の水を加熱して湯にする手段を配備したが、図４（ａ）の破線に示すように、発電装置１の排熱吸収流体を循環させる循環管路６６を貯湯槽２内に通し、排熱吸収流体と貯湯槽２内の水との間で熱交換を行って、貯湯槽２内の水を湯にするようにしてもよい。なお、このとき、排熱吸収流体は、その熱を貯湯槽２内の水に与えることにより、冷却され、排熱吸収流体は冷却流体となって発電装置１に送られるものである。
【００３２】
また、コジェネレーション給湯熱源装置３は、図４（ｂ）に示すように構成してもよい。この構成は、貯湯槽２と発電装置１との間に、例えば銅板等によって形成した熱交換部材６７を設け、発電装置１の排熱吸収流体を循環させる循環管路６６を熱交換部材６７に通し、また、熱交換部材６７には、貯湯槽２内の水を循環させる循環管路６８を設け、熱交換部材６７を介し、循環管路６６を通る排熱吸収流体と循環管路６８を通る水との間で熱交換させるものである。
【００３３】
つまり、この構成は、熱交換部材６７を介し、排熱吸収流体の熱を、循環管路６８を通る貯湯槽２内の水に与えて貯湯槽２内の水を湯にし、このとき、排熱吸収流体を冷却して冷却流体とするものである。
【００３４】
さらに、本発明の貯水タンク付き装置は、コジェネレーション給湯熱源装置３と、通水の水を加熱して給湯先に給湯する補助給湯熱源装置とを有する複合的な装置としてもよいし、コジェネレーション給湯熱源装置３を単独で有する装置としてもよいし、コジェネレーション給湯熱源装置３の貯湯槽２とは異なる、例えば電気温水器等の貯水タンクを備えた装置としてもよい。
【図面の簡単な説明】
【００３５】
【図１】本発明に係る貯水タンク付き装置の一実施形態例の排水部構成を示す要部構成図である。
【図２】上記排水部構成の動作を模式的に示す説明図である。
【図３】本発明に係る貯水タンク付き装置の他の実施形態例の排水部構成とその動作を模式的に示す説明図である。
【図４】本発明に係る貯水タンク付き装置の一実施形態例のシステム構成および他の実施形態例に適用されるコジェネレーション給湯熱源装置の構成を模式的に示す要部説明図である。
【符号の説明】
【００３６】
１  発電装置
２  貯湯槽
３  コジェネレーション給湯熱源装置
５  排水口向き可変手段
６  曲がり管
７  排水口
８  フレキシブル管
１０  ホッパー
５２  排水栓
【図１】
2005308329.tif 000003
【図２】
2005308329.tif 000004
【図３】
2005308329.tif 000005
【図４】
2005308329.tif 000006